(57)【要約】【課題】文字認識率の向上を図ることが可能な磁気インク文字認識装置及びプログラムを提供する。【解決手段】磁気ヘッドと、前記磁気ヘッドに対して磁気インク文字が印字された媒体を相対的に搬送する搬送手段と、前記磁気ヘッドで読み取られた前記媒体の磁気検出信号を取得する取得手段と、前記磁気検出信号の信号区間から前記媒体の終端部分の読み取り結果を含んだ所定の除外区間を除外する除外手段と、前記除外区間が除外された残りの信号区間の前記磁気検出信号に基づいて、前記磁気インク文字を認識する認識手段と、を備える。【選択図】図５
2019105879.tif 000002
【特許請求の範囲】
【請求項１】
磁気ヘッドと、
前記磁気ヘッドに対して磁気インク文字が印字された媒体を相対的に搬送する搬送手段と、
前記磁気ヘッドで読み取られた前記媒体の磁気検出信号を取得する取得手段と、
前記磁気検出信号の信号区間から前記媒体の終端部分の読み取り結果を含んだ所定の除外区間を除外する除外手段と、
前記除外区間が除外された残りの信号区間の前記磁気検出信号に基づいて、前記磁気インク文字を認識する認識手段と、
を備える磁気インク文字認識装置。
【請求項２】
前記除外手段は、前記磁気検出信号の最初のピーク位置から、前記媒体の搬送方向のサイズ及び当該媒体の搬送速度に応じて定まる時間幅分を移動させた位置までの信号区間を特定し、当該信号区間の後端から先端にかけて前記除外区間分の磁気検出信号を除外する請求項１に記載の磁気インク文字認識装置。
【請求項３】
前記除外区間は、前記媒体上において前記磁気インク文字が印字される印字領域の搬送方向の前後に位置する余白領域のサイズと、前記媒体の搬送速度とに基づき算出された、所定の時間幅として設定される請求項２に記載の磁気インク文字認識装置。
【請求項４】
前記媒体の搬送方向のサイズを検出する検出手段を更に備え、
前記除外手段は、前記検出手段が検出したサイズを用いて、前記信号区間を特定する請求項２又は３に記載の磁気インク文字認識装置。
【請求項５】
前記除外手段は、前記磁気検出信号の最初のピーク位置から、前記媒体上で前記磁気インク文字が印字される印字領域の搬送方向のサイズ及び当該媒体の搬送速度に応じて定まる時間長分を移動させた位置までの信号区間を特定し、
前記認識手段は、前記特定された前記信号区間の前記磁気検出信号に基づいて、前記磁気インク文字を認識する請求項１に記載の磁気インク文字認識装置。
【請求項６】
磁気ヘッドと、前記磁気ヘッドに対して磁気インク文字が印字された媒体を相対的に搬送する搬送手段と、を備える磁気インク文字認識装置のコンピュータを、
前記磁気ヘッドで読み取られた前記媒体の磁気検出信号を取得する取得手段と、
前記磁気検出信号の信号区間から前記媒体の終端部分の読み取り結果を含んだ所定の除外区間を除外する除外手段と、
前記除外区間が除外された残りの信号区間の前記磁気検出信号に基づいて、前記磁気インク文字を認識する認識手段と、
して機能させるためのプログラム。
【発明の詳細な説明】
【技術分野】
【０００１】
本発明の実施形態は、磁気インク文字認識装置及びプログラムに関する。
【背景技術】
【０００２】
従来、用紙に印字された磁気インク文字を、磁気ヘッドを用いて読み取るＭＩＣＲ（Magnetic  Ink  Character  Reader）等の磁気インク文字認識装置が存在している。例えば、用紙搬送型の磁気インク文字認識装置では、磁気インク文字が印字された用紙を搬送しながら磁気ヘッドで読み取りを行い、磁気ヘッドから出力される磁気検出信号に基づき磁気インク文字を認識するようになっている。係る磁気検出信号は、時間軸と電圧軸との２次元の波形データで表され、ＩＳＯ１００４等で規格化された波形データと比較することで各文字の認識が行われる。
【０００３】
また、磁気インク文字認識装置では、磁気インク文字の認識率を向上させるため磁気検出信号から磁気ノイズを取り除くことが行われている。例えば、従来、搬送モータに起因する磁気ノイズを除去するため、磁気インク文字検出時の磁気検出信号から、搬送モータやフォトセンサ等に起因する磁気ノイズを差し引く技術が提案されている。
【０００４】
また、磁気インク文字認識装置では、処理速度を向上させるため、用紙の搬送速度を高速化することが行われている。しかしながら、搬送速度を上げると、磁気ヘッドで用紙を読み取る際に当該用紙の終端部分で紙はねが生じる可能性がある。この紙はねは、磁気ノイズ（以下、終端ノイズ）の原因となり、文字認識率低下の要因となっている。なお、上記した従来のノイズ除去に係る技術では、終端ノイズについて何ら考慮されておらず、上記の課題を解決することは困難である。
【発明の概要】
【発明が解決しようとする課題】
【０００５】
本発明が解決しようとする課題は、文字認識率の向上を図ることが可能な磁気インク文字認識装置及びプログラムを提供することである。
【課題を解決するための手段】
【０００６】
実施形態の磁気インク文字認識装置は、磁気ヘッドと、搬送手段と、取得手段と、除外手段と、認識手段とを備える。搬送手段は、前記磁気ヘッドに対して磁気インク文字が印字された媒体を相対的に搬送する。取得手段は、前記磁気ヘッドで読み取られた前記媒体の磁気検出信号を取得する。除外手段は、前記磁気検出信号の信号区間から前記媒体の終端部分の読み取り結果を含んだ所定の除外区間を除外する。認識手段は、前記除外区間が除外された残りの信号区間の前記磁気検出信号に基づいて、前記磁気インク文字を認識する。
【図面の簡単な説明】
【０００７】
【図１】図１は、実施形態に係る磁気インク文字認識装置の概略構成を示す図である。
【図２】図２は、実施形態に係る用紙の一例を示す図である。
【図３】図３は、実施形態の磁気インク文字認識装置が備えるハードウェア構成の一例を示す図である。
【図４】図４は、実施形態の磁気インク文字認識装置が備える機能構成の一例を示す図である。
【図５】図５は、実施形態に係る磁気検出信号の一例を示す図である。
【図６】図６は、実施形態の磁気インク文字認識装置が行う文字認識処理の一例を示すフローチャートである。
【発明を実施するための形態】
【０００８】
以下に添付図面を参照して、本発明に係る磁気インク文字認識装置及びプログラムの実施形態を詳細に説明する。
【０００９】
図１は、磁気インク文字認識装置の概略構成を示す図である。図１に示すように、磁気インク文字認識装置１は、用紙搬送路１１と、搬送ローラ１２と、着磁用マグネット１３と、磁気ヘッド１４と、用紙押さえ１５と、用紙センサ１６とを備える。
【００１０】
用紙搬送路１１は、用紙ＰＡを搬送するための搬送路である。用紙ＰＡは、例えば小切手や約束手形等の媒体（紙葉）であり、その表面に磁気インク文字ＭＣ（図２参照）が印字されている。
【００１１】
図２は、用紙ＰＡの一例を示す図である。図２に示すように、用紙ＰＡの表面には磁気インク文字ＭＣが印字されている。磁気インク文字ＭＣは、Ｅ−１３ＢやＣＭＣ−７等の規格に順じた書体で印字される。例えば、小切手や約束手形では、磁気インク文字ＭＣが印字される領域（以下、印字領域）Ａ１は予め定められており、当該印字領域Ａ１に小切手番号等の情報が印字される。図２の場合、印字領域Ａ１は、用紙ＰＡの下部において、用紙ＰＡの左端からＬ１の位置、及び用紙ＰＡの右端からＬ２の位置に、長さＬ３で設けられている。なお、用紙ＰＡは、図２に示した右端側から、用紙搬送路１１に挿入されるものとする。つまり、Ｌ１とＬ２とＬ３を足した長さＬは、用紙ＰＡの搬送方向の用紙長（サイズ）に対応する。
【００１２】
図１に戻り、搬送ローラ１２は、用紙搬送路１１に挿入された用紙ＰＡを、右方又は左方に往復搬送する。着磁用マグネット１３は、例えば電磁石であり、用紙ＰＡの表面に印字された磁気インク文字ＭＣを磁化する。磁気ヘッド１４は、磁気（磁界）の変化を読み取る磁気検出装置であり、読取方向に搬送される用紙ＰＡから磁気を読み取る。用紙押さえ１５は、磁気ヘッド１４に対向して配置される。用紙押さえ１４は、読み取り動作中、ある一定の圧力で用紙をヘッド方向に押さえる。用紙搬送路１１上を搬送される用紙ＰＡは、磁気ヘッド１４と用紙押さえ１５との間隙を通過する。用紙センサ１６は、例えばフォトセンサであり、用紙搬送路１１上を搬送される用紙ＰＡを検出する。
【００１３】
図１の構成において、用紙ＰＡは、磁気インク文字ＭＣが印字された面が磁気ヘッド１４に対向する向きで、用紙搬送路１１の左端側から挿入される。用紙搬送路１１の左端側から挿入された用紙ＰＡは、搬送ローラ１２によって右方向（以下、着磁方向）に搬送される。着磁用マグネット１３は、着磁方向に搬送された用紙ＰＡに対し磁気インク文字ＭＣを磁化するための磁界を発生する。これにより、用紙ＰＡに印字された磁気インク文字ＭＣは、着磁用マグネット１３によって磁化される。
【００１４】
用紙搬送路１１の右端側に到達した用紙ＰＡは、搬送ローラ１２によって左方向（以下、読取方向）に搬送される。磁気ヘッド１４は、この読取方向への搬送過程で、用紙ＰＡ（磁気インク文字ＭＣ）から磁気を読み取り、その読み取り結果を磁気検出信号として出力する。また、用紙センサ１６は、搬送ローラ１２による用紙ＰＡの搬送過程において、用紙搬送路１１上の用紙ＰＡを検出する。
【００１５】
なお、用紙ＰＡの搬送に係る構成は図１に限らないものとする。例えば、図１では用紙搬送路１１を直線状としたが、これに限らず用紙搬送路１１を曲線としてもよい。また、一方向への搬送で着磁と読取とを行う構成としてもよい。また、着磁用マグネット１３、磁気ヘッド１４及び用紙センサ１６の取り付け位置や、用紙センサ１６の個数は、図１の例に限定されないものとする。
【００１６】
また、図１では、着磁用マグネット１３を電磁石としたが、これに限らず、永久磁石としてもよい。また、他の装置で着時を行う場合には、磁気インク文字認識装置１から着磁に係る構成を取り除いてもよい。また、図１では、磁気ヘッド１４を固定の位置とし、磁気ヘッド１４に対して用紙ＰＡを搬送（移動）する構成としたが、用紙ＰＡを固定の位置とし、用紙ＰＡに対して磁気ヘッド１４を搬送（移動）する構成としてもよい。
【００１７】
次に、図３を参照して、磁気インク文字認識装置１のハードウェア構成について説明する。図３は、磁気インク文字認識装置１が備えるハードウェア構成の一例を示す図である。
【００１８】
図３に示すように、磁気インク文字認識装置１は、上記した着磁用マグネット１３、磁気ヘッド１４及び用紙センサ１６とともに、ＣＰＵ（Central  Processing  Unit）２１、ＲＯＭ（Read  Only  Memory）２２及びＲＡＭ（Random  Access  Memory）２３等のコンピュータ構成を備える。
【００１９】
ＣＰＵ２１は、ＲＯＭ２２に記憶されたプログラムを実行することで、磁気インク文字認識装置１の動作を統括的に制御する。また、ＣＰＵ２１は、ＲＯＭ２２に記憶されたプログラムを実行することで、後述する各機能部を実現させる。
【００２０】
ＲＯＭ２２は、ＣＰＵ２１が実行可能な各種のプログラムや、磁気インク文字認識装置１の動作に係る各種の設定情報を記憶する。ＲＡＭ２３は、ＣＰＵ２１が各種プログラムを実行する際に一時的にデータやプログラムを記憶する。
【００２１】
また、磁気インク文字認識装置１は、記憶部２４、表示部２５及び操作部２６を備える。記憶部２４は、ＨＤＤ（Hard  Disk  Drive）やフラッシュメモリ等のリード／ライト可能な不揮発性メモリである。記憶部２４は、ＣＰＵ２１が実行可能な各種のプログラムや、磁気インク文字認識装置１の動作に係る各種の設定情報を記憶する。
【００２２】
例えば、記憶部２４は、磁気ヘッド１４によって用紙ＰＡから読み取られる磁気検出信号から除外すべき信号区間を定めた設定情報（以下、除外区間という）を記憶する。ここで、除外区間は、用紙ＰＡの後端部分の読み取り結果を含む信号区間を指示するためのものである。係る除外区間は、使用する用紙ＰＡの仕様に基づき予め設定されている。
【００２３】
以下、図２に示した用紙ＰＡを例に除外区間について説明する。読取方向への搬送時に用紙ＰＡの左端側から搬送されると、磁気検出信号のピークに基づき印字領域Ａ１の左端（先端）に対応するピーク位置が検出される。この位置を基点に用紙長分の信号区間を特定するような場合、当該信号区間の後半に用紙ＰＡの後端部分の読み取り結果が含まれることになる。
【００２４】
そこで、特定した信号区間の後端を基準に除外区間を設定するような場合、除外区間は、用紙ＰＡ上において印字領域Ａ１の搬送方向の前後に位置する余白領域のサイズ（Ｌ１、Ｌ２）と、用紙ＰＡの搬送速度とに基づき設定することができる。具体的には、除外区間は、「Ｌ１＜Ｘ＜Ｌ１＋Ｌ２」の条件を満たす長さＸを、用紙ＰＡの搬送速度で除算した値（時間幅）で表すことができる。ここで、Ｘの値は、上記の条件を満たす範囲で調整することが可能であるとする。このように設定した除外区間分（時間幅）の磁気検出信号を、特定した信号区間の後端から先端にかけて除外することで、用紙ＰＡの後端部分の読み取り結果を取り除くことができる。
【００２５】
なお、記憶部２４が記憶する設定情報は、上記の例に限らないものとする。例えば、記憶部２４は、用紙ＰＡの仕様に関する情報（例えば、長さＬ１、Ｌ２等）を設定情報として記憶しておき、当該設定情報とリアルタイムの搬送速度とから、上記の除外区間を動的に導出する構成としてもよい。
【００２６】
表示部２５は、ＬＣＤ（Liquid  Crystal  Display）等の表示デバイスである。表示部２５は、ＣＰＵ２１の制御の下、磁気インク文字ＭＣの認識結果等、各種の情報を表示する。操作部２６は、操作スイッチ等の入力デバイスである。操作部２６は、ユーザの操作を受け付け、受け付けた操作内容をＣＰＵ２１に出力する。
【００２７】
また、磁気インク文字認識装置１は、用紙搬送機構２７を備える。用紙搬送機構２７は、搬送手段の一例である。用紙搬送機構２７は、上述した用紙搬送路１１及び搬送ローラ１２とともに、搬送ローラ１２を回転させるための駆動モータ等を含む。用紙搬送機構２７は、ＣＰＵ２１の制御の下、用紙搬送路１１に挿入された用紙ＰＡを着磁方向及び読取方向の往復方向に搬送させる。
【００２８】
次に、図４を参照して磁気インク文字認識装置１の機能構成について説明する。図４は、磁気インク文字認識装置１が備える機能構成の一例を示す図である。
【００２９】
図４に示すように、磁気インク文字認識装置１は、搬送制御部３１と、着磁処理部３２と、用紙長検出部３３と、読取処理部３４と、除外処理部３５と、認識処理部３６と、出力処理部３７とを機能部として備える。これら機能部は、ＣＰＵ２１とプログラムとの協働により実現されるソフトウェア構成であってもよいし、専用のプロセッサで実現されるハードウェア構成であってもよい。
【００３０】
搬送制御部３１は、用紙搬送機構２７を制御することで、用紙搬送路１１上での用紙ＰＡの搬送を制御する。具体的には、搬送制御部３１は、図１に示した用紙搬送路１１の左端側から用紙ＰＡが挿入されると、当該用紙ＰＡを着磁方向に搬送させる。また、搬送制御部３１は、用紙ＰＡが用紙搬送路１１の右端側に達すると、当該用紙ＰＡを読取方向に搬送させる。なお、搬送制御部３１は、予め定められた搬送速度で用紙ＰＡの搬送を行うものとする。
【００３１】
着磁処理部３２は、着磁用マグネット１３と協働することで、磁気インク文字ＭＣを着磁する着磁処理を実行する。具体的には、着磁処理部３２は、搬送制御部３１の制御により用紙ＰＡが着磁方向に搬送されている間、着磁用マグネット１３を動作させて磁界を発生させる。
【００３２】
用紙長検出部３３は、検出手段の一例である。用紙長検出部３３は、用紙センサ１６のセンシング結果に基づいて、用紙搬送路１１上を搬送される用紙ＰＡの搬送方向のサイズ（用紙長）を検出する。例えば、用紙長検出部３３は、用紙センサ１６が用紙ＰＡを継続して検出した時間の長さと、当該用紙ＰＡの搬送速度とを乗算することで、用紙ＰＡの用紙長を取得する。なお、本実施形態では、用紙長検出部３３は、着磁方向への搬送時に用紙長の検出を行うものとする。
【００３３】
読取処理部３４は、取得手段の一例である。読取処理部３４は、磁気ヘッド１４と協働することで、用紙搬送路１１を搬送される用紙ＰＡ（磁気インク文字ＭＣ）から磁気検出信号を読み取る読み取り処理を実行する。具体的には、読取処理部３４は、用紙ＰＡが読取方向に搬送されている間、磁気ヘッド１４を動作させることで、当該磁気ヘッド１４から出力される磁気検出信号を取得する。読取処理部３４によって取得された磁気検出信号は、ＲＡＭ２３等の記憶媒体に記憶される。
【００３４】
図５は、磁気検出信号の一例を示す図である。図５において、横軸は時間経過を表す時間軸であり、縦軸は磁気の大きさに対応する電圧値を表す。
【００３５】
磁気ヘッド１４により磁気インク文字ＭＣが読み取られると、その磁気インク文字ＭＣの形状に対応した波形の磁気検出信号が得られる。例えば、図５の磁気検出信号では、波形Ｄ１が磁気インク文字ＭＣに対応する。
【００３６】
ところで、ＭＩＣＲ等の磁気インク文字認識の分野では、処理速度を向上させるため、用紙の搬送速度を高速化することが行われている。しかしながら、搬送速度を上げると、磁気ヘッド１４で用紙ＰＡを読み取る際に当該用紙ＰＡの終端部分で紙はねが生じる可能性がある。例えば、図１の構成では、磁気ヘッド１４と用紙押さえ１５との間隙に進入した用紙ＰＡの終端部分で、当該間隙を抜ける際に紙はねが生じる可能性がある。この紙はねは、磁気ヘッド１４の読み取り動作に影響し、波形Ｄ２に示すようにスパイク状の磁気ノイズ（以下、終端ノイズ）として磁気検出信号上に出現する。後述する認識処理部３６では、磁気検出信号に基づき磁気インク文字ＭＣを認識するが、このような終端ノイズが含まれると誤認識が発生し、文字認識率低下の要因となる。
【００３７】
そこで、磁気インク文字認識装置１では、磁気検出信号から終端ノイズを除外するため、除外処理部３５を備えている。以下、除外処理部３５について説明する。
【００３８】
除外処理部３５は、除外手段の一例である。除外処理部３５は、読取処理部３４により取得された磁気検出信号から終端ノイズを除外する除外処理を実行する。
【００３９】
具体的には、除外処理部３５は、磁気検出信号の振幅（電圧値）に基づいて、最初のピーク位置を検出する。磁気インク文字ＭＣの先頭ピークは、印字に関する規格により、正極で且つ一定レベル以上の出力値を持つよう規定されている。除外処理部３５は、磁気検出信号の波形を先頭からスキャンして、その電圧値が正であって閾値以上であるか否かを判定する。この閾値は、例えば、用紙ＰＡが未搬送の状態で検出される磁気検出信号の振幅より大きな値や、全ての正ピーク値から算出した平均の６０％の値等が設定される。
【００４０】
そして、除外処理部３５は、判定条件に該当した最初のピーク位置を検出する。例えば、図５に示す磁気検出信号の場合、除外処理部３５は、磁気検出信号に現れた最初のピーク位置Ｐ１を検出する。このように検出されたピーク位置Ｐ１は、用紙ＰＡの搬送方向における印字領域Ａ１（磁気インク文字ＭＣ）の先端に対応する。
【００４１】
次いで、除外処理部３５は、用紙長検出部３３で検出された用紙長に基づき、検出したピーク位置Ｐ１を基点に、当該ピーク位置Ｐ１から用紙長に対応する時間幅分を移動させた位置Ｐ２までの信号区間を特定する。係る時間幅は、例えば、用紙長を用紙ＰＡの搬送速度で除算することで導出される。
【００４２】
そして、除外処理部３５は、記憶部２４に記憶された設定情報（除外区間）に基づき、特定した信号区間の後端から除外区間分を除外した残りの信号区間を対象信号として抽出する。
【００４３】
例えば、図５に示す磁気検出信号の場合、除外処理部３５は、最初のピーク位置Ｐ１を基点とし、このピーク位置Ｐ１から用紙長に対応する時間幅分を移動させた位置Ｐ２までの信号区間Ｂ１を特定する。次いで、除外処理部３５は、信号区間Ｂ１の後端（位置Ｐ２）から先端にかけて、除外区間Ｂ２の時間幅を除外する。そして、除外処理部３５は、除外区間Ｂ２を除外した残りの信号区間Ｂ３の磁気検出信号を対象信号として抽出する。
【００４４】
このように抽出された対象信号は、用紙ＰＡの読み取り結果から、当該用紙ＰＡの終端部分の読み取り結果を除去したものとなる。つまり、除外処理部３５は、読取処理部３４が取得した用紙ＰＡの磁気検出信号の中から終端ノイズを除外（除去）し、残りの磁気検出信号を対象信号として抽出する。
【００４５】
認識処理部３６は、認識手段の一例である。認識処理部３６は、除外処理部３５が抽出した対象信号に基づき、用紙ＰＡに印字された磁気インク文字ＭＣの各文字を認識する。ここで、磁気インク文字ＭＣの認識方法は、公知・公用の技術を用いることが可能である。例えば、認識処理部３６は、対象信号から磁気インク文字ＭＣの各文字を表す波形データを切り出し、ＩＳＯ１００４等で規格化された各文字の波形データと比較することで、その類似性に基づき文字認識を行う。
【００４６】
出力処理部３７は、認識処理部３６で認識された磁気インク文字ＭＣの認識結果を表示部２５に出力する。なお、認識結果の出力先は、表示部２５に限らないものとする。例えば、出力処理部３７は、磁気インク文字ＭＣの認識結果を、記憶部２４に出力（記憶）してもよい。また、出力処理部３７は、磁気インク文字ＭＣの認識結果を、図示しない通信装置を介して外部装置に出力（送信）してもよい。
【００４７】
以下、図１、図６を参照して、磁気インク文字認識装置１の動作について説明する。ここで、図６は、磁気インク文字認識装置１が行う文字認識処理の一例を示すフローチャートである。
【００４８】
図１に示した用紙搬送路１１の左側から用紙ＰＡが挿入されると、搬送制御部３１は、用紙ＰＡを着磁方向に搬送する（ステップＳ１１）。着磁処理部３２は、用紙ＰＡの着磁方向への搬送に伴い、着磁用マグネット１３を動作させ、用紙搬送路１１上に磁界を発生させることで磁気インク文字ＭＣを着磁する（ステップＳ１２）。
【００４９】
また、用紙長検出部３３は、用紙センサ１６から出力される用紙ＰＡのセンシング結果に基づいて、用紙ＰＡの用紙長を検出する（ステップＳ１３）。
【００５０】
次いで、用紙ＰＡが用紙搬送路１１の右端に達すると、搬送制御部３１は、当該用紙ＰＡを読取方向に搬送する（ステップＳ１４）。ここで、着磁処理部３２は、読取方向への搬送開始に伴い着磁用マグネット１３の動作を停止させてもよい。
【００５１】
読取処理部３４は、読取方向への搬送開始に伴い磁気ヘッド１４を動作させ、磁気ヘッド１４で読み取られた磁気検出信号を取得する（ステップＳ１５）。取得された磁気検出信号は、ＲＡＭ等に一時記憶される。
【００５２】
続いて、除外処理部３５は、磁気検出信号に出現した最初のピーク位置を基点に、当該ピーク位置から用紙長に対応する時間幅分を移動させた位置までの信号区間を特定する（ステップＳ１６）。次いで、除外処理部３５は、ステップＳ１６で特定した信号区間の終端から先端方向に向けて除外区間分の磁気検出信号を除外し、残りの信号区間の磁気検出信号を対象信号として抽出する（ステップＳ１７）。
【００５３】
続いて、認識処理部３６は、ステップＳ１７で抽出された対象信号に基づいて、磁気インク文字ＭＣを認識する（ステップＳ１８）。そして、出力処理部３７は、ステップＳ１８の認識結果を表示部２５等に出力し（ステップＳ１９）、本処理を終了する。
【００５４】
以上のように、本実施形態の磁気インク文字認識装置１は、磁気ヘッド１４により読み取られた用紙ＰＡの磁気検出信号から、当該用紙ＰＡの終端部分の読み取り結果を含む信号区間（除外区間）を除外する。そして、磁気インク文字認識装置１は、除外区間が除外された磁気検出信号に基づき、用紙ＰＡに印字された磁気インク文字ＭＣの認識を行う。これにより、磁気インク文字認識装置１は、終端ノイズを除外した磁気検出信号で磁気インク文字ＭＣの認識処理を行うことができるため、文字認識率の向上を図ることができる。
【００５５】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５６】
例えば、上記実施形態では、用紙センサ１６を用いて用紙ＰＡの用紙長を検出する構成としたが、これに限らず、他の方法によって用紙長を得てもよい。例えば、用紙ＰＡの用紙長は、操作部２６を介して入力される構成としてもよい。また、用紙ＰＡの用紙長は、設定情報として記憶部２４に予め記憶されており、当該記憶部２４から読み出す構成としてもよい。
【００５７】
また、上記実施形態では、記憶部２４に一の除外区間を記憶する構成としたが、記憶する除外区間の個数は特に問わないものとする。例えば、記憶部２４は、用紙ＰＡの種別毎に、当該用紙ＰＡの用紙長と除外区間とを関連付けて記憶する構成としてもよい。ここで、用紙ＰＡの種別は、例えば小切手や証券等の種別を意味し、除外区間には、その種別の用紙ＰＡの仕様に応じた値を設定する。この場合、除外処理部３５は、用紙長検出部３３が検出した用紙長に対応する除外区間を記憶部２４から読み出し、当該除外区間に基づいて対象信号の抽出を行う。
【００５８】
また、上記実施形態では、磁気検出信号の最初のピーク位置を基点に用紙長分の信号区間を特定する構成としたが、基点とする位置はこれに限らないものとする。例えば、最初のピーク位置から所定の時間幅（例えば、Ｌ１分の時間幅）を遡った位置を基点としてもよい。この場合、除外区間には、遡る時間幅分を加味した値を設定するものとする。例えば、最初のピーク位置から長さＬ１分（図２参照）の時間幅を遡った位置を基点とする場合、除外区間は、「０＜Ｘ＜Ｌ２」の条件を満たす長さＸを、用紙ＰＡの搬送速度で除算した値（時間幅）で表すことができる。
【００５９】
また、上記実施形態では、特定した信号区間の後端を基準に除外区間を除外する構成としたが、当該信号区間の先端を基準に除外区間を除外する構成としてもよい。例えば、図２の用紙ＰＡの場合、除外処理部３５は、磁気検出信号の最初のピーク位置を基点に長さＬ３に対応する時間幅分の信号区間を特定し、当該信号区間の磁気検出信号を対象信号として抽出する。このようにして抽出された対象信号は、印字領域Ａ１部分の読み取り結果となるため、用紙ＰＡの終端部分の読み取り結果、つまり終端ノイズが除去されたものとなる。なお、記憶部２４は、印字領域Ａ１の長さＬ３を用紙ＰＡの搬送速度で除算した値（時間幅）を設定情報（抽出区間）として予め記憶するものとする。
【００６０】
また、上記実施形態の磁気インク文字認識装置１で実行されるプログラムは、インストール可能な形式または実行可能な形式のファイルでフロッピー（登録商標）ディスク、ＣＤ（Compact  Disc）、ＣＤ−Ｒ（Compact  Disc-Recordable）、ＣＤ−ＲＯＭ（Compact  Disc  Read  Only  Memory）、ＤＶＤ（Digital  Versatile  Disc）、ＳＤメモリカード（SD  memory  card）、ＵＳＢメモリ（Universal  Serial  Bus  memory）等のコンピュータで読み取り可能な記録媒体に記録して提供するように構成してもよい。
【００６１】
また、上記実施形態の磁気インク文字認識装置１で実行されるプログラムを、インターネット等のネットワークに接続されたコンピュータ上に格納し、ネットワーク経由でダウンロードさせること等により提供するように構成してもよい。
【符号の説明】
【００６２】
１  磁気インク文字認識装置
１１  用紙搬送路
１２  搬送ローラ
１３  着磁用マグネット
１４  磁気ヘッド
１５  用紙押さえ
１６  用紙センサ
２１  ＣＰＵ
２２  ＲＯＭ
２３  ＲＡＭ
２４  記憶部
２５  表示部
２６  操作部
２７  用紙搬送機構
３１  搬送制御部
３２  着磁処理部
３３  用紙長検出部
３４  読取処理部
３５  除外処理部
３６  認識処理部
３７  出力処理部
【先行技術文献】
【特許文献】
【００６３】
【特許文献１】特開２０１２−２２１３３７号公報
【図１】
2019105879.tif 000003
【図２】
2019105879.tif 000004
【図３】
2019105879.tif 000005
【図４】
2019105879.tif 000006
【図５】
2019105879.tif 000007
【図６】
2019105879.tif 000008